(57)【要約】【課題】  多周波数共用で光伝送する場合に、信号の規格を満たしつつ、光伝送容量を低減できる光伝送装置を提供する。【解決手段】  電気信号を光信号に変換して光伝送路１１に出力する光トランシーバモジュール１０と、複数の無線通信ユニットからの信号を信号処理し、光トランシーバモジュール１０における処理能力の範囲内で各無線通信ユニットからの信号に対する圧縮率を変えて割り当てて、当該圧縮率に従って信号の圧縮を行う信号処理部８と、信号処理部８で圧縮された無線通信ユニット毎の信号を合成し、光トランシーバモジュール１０に出力する合成分離回路９とを備える光伝送装置である。【選択図】        図３
2014187450.tif 000002
【特許請求の範囲】
【請求項１】
複数の無線通信ユニットからの信号を合成して光伝送路を用いて伝送する光伝送装置であって、
前記光伝送路に接続し、電気信号を光信号に変換して前記光伝送路に出力する第１の光トランシーバモジュールと、
前記複数の無線通信ユニットからの信号を信号処理し、前記第１の光トランシーバモジュールにおける処理能力の範囲内で各無線通信ユニットからの信号に対する圧縮率を変えて割り当てて、当該圧縮率に従って信号の圧縮を行う第１の信号処理部と、
前記第１の信号処理部で圧縮された無線通信ユニット毎の信号を合成し、前記第１の光トランシーバモジュールに出力する第１の変換部とを有することを特徴とする光伝送装置。
【請求項２】
第１の信号処理部は、無線通信ユニット毎に対応するデータの圧縮率を記憶するテーブルを備えてことを特徴とする請求項１記載の光伝送装置。
【請求項３】
第１の信号処理部は、無線通信ユニットからのデータ入力の状況に応じてテーブルに設定された圧縮率を変更することを特徴とする請求項２記載の光伝送装置。
【請求項４】
光伝送路から光信号を入力し、電気信号に変換する第２の光トランシーバモジュールと、
前記第２の光トランシーバモジュールからの電気信号を無線通信ユニット毎に分離する第２の変換部と、
前記第２の変換部からの信号を前記無線通信ユニット毎の圧縮率に対応した解凍率で解凍する第２の信号処理部とを有することを特徴とする請求項１乃至３のいずれか記載の光伝送装置。
【請求項５】
第２の信号処理部は、複数の無線通信ユニットからの信号を前記無線通信ユニット毎の圧縮率で圧縮し、
第２の変換部は、前記第２の信号処理部で圧縮された前記無線通信ユニット毎の信号を合成し、
第２の光トランシーバモジュールは、前記第２の変換部からの電気信号を光信号に変換して光伝送路に出力することを特徴とする請求項４記載の光伝送装置。
【発明の詳細な説明】
【技術分野】
【０００１】
本発明は、多周波数帯共用の光伝送装置に係り、特に、光伝送容量を低減できる光伝送装置に関する。
【背景技術】
【０００２】
［従来の技術］
従来の光伝送装置は、多系統の信号を伝送するのに、以下の方式を採用している。
第１の方式として、データ圧縮をせず、多経路の光伝送路を用いるか、高伝送レートの光トランシーバモジュール（ＳＦＰ：Small Form factor Pluggable）を用いたものがある。
また、第２の方式として、全系統の信号に対して、一律にデータ圧縮を行うものがある。
【０００３】
［従来の光伝送装置：図５］
従来の光伝送装置について、図５を参照しながら説明する。図５は、従来の光伝送装置のイメージ図である。
従来の光伝送装置は、図５に示すように、親局１００と、子局２００とが、光伝送路１１で接続されている。
尚、図５の光伝送装置では、データの圧縮は行わず、親局１００と子局２００の間は４倍（４Ｘ）伝送となっている。
【０００４】
親局１００は、信号処理部８と、合成分離回路（ＳＥＲＤＥＳ部）９と、電気／光変換送受信部（ＳＦＰ部）１０とを備えている。
信号処理部８は、事業者Ａ〜Ｄのデータを入力して信号処理を行ってＳＥＲＤＥＳ部９に出力し、ＳＥＲＤＥＳ部９からの信号を信号処理して事業者Ａ〜Ｄのデータとして出力する。
【０００５】
ＳＥＲＤＥＳ部９は、信号処理部８から並列に入力された信号を直列に変換してＳＦＰ部１０に出力し、ＳＦＰ部１０からの直列の信号を並列に変換して信号処理部８に出力する。
ＳＦＰ部１０は、ＳＥＲＤＥＳ部９からの信号を電気信号から光信号に変換して光伝送路１１に多重化して送信し、光伝送路１１からの光信号を受信して電気信号に変換してＳＥＲＤＥＳ部９に出力する。ここで、ＳＦＰ部１０は、４倍（４Ｘ）伝送用となっている。
【０００６】
子局２００は、ＳＦＰ部１２と、ＳＥＲＤＥＳ部１３と、信号処理部１４とを備えている。
ＳＦＰ部１２は、光伝送路１１からの光信号を受信して電気信号に変換してＳＥＲＤＥＳ部１３に出力し、ＳＥＲＤＥＳ部１３からの信号を電気信号から光信号に変換して光伝送路１１に多重化して送信する。ＳＦＰ部１２も、４倍（４Ｘ）伝送用となっている。
【０００７】
ＳＥＲＤＥＳ部１３は、ＳＦＰ部１２からの直列の信号を並列に変換して信号処理部１４に出力し、信号処理部１４から並列に入力された信号を直列に変換してＳＦＰ部１２に出力する。
信号処理部１４は、ＳＥＲＤＥＳ部１３からの信号を信号処理して事業者Ａ〜Ｄのデータとして出力し、事業者Ａ〜Ｄのデータを入力して信号処理を行ってＳＥＲＤＥＳ部１３に出力する。
【０００８】
［関連技術］
尚、関連する先行技術として、特開平１０−３２２３０１号公報「多重化装置」（株式会社日立製作所）［特許文献１］、特開平１１−１７７４３６号公報「データ通信装置」（国際電気株式会社）［特許文献２］がある。
【０００９】
特許文献１には、多重化装置において、現在通信中の低速端末数の通信速度の総合計を計算し、通信開始を要求した低速端末と既に通信を開始している低速端末に対して圧縮率を決定し、圧縮率の最適化を行うことが示されている。
特許文献２には、データ通信装置において、メディアデータを圧縮符号化して多重化して送信し、多重化データを受信して分離し、復号化することが示されている。
【先行技術文献】
【特許文献】
【００１０】
【特許文献１】特開平１０−３２２３０１号公報
【特許文献２】特開平１１−１７７４３６号公報
【発明の概要】
【発明が解決しようとする課題】
【００１１】
しかしながら、従来の光伝送装置では、以下の問題点があった。
従来の第１の方式では、多経路の光伝送路では、ＳＦＰ部と光伝送路が複数必要になり、また、高伝送レートのＳＦＰ部を必要とするので、システムが高価になるという問題点があった。
【００１２】
また、従来の第２の方式では、全系統の信号に対して一律にデータ圧縮を行うと、信号規格が厳しい信号に対して、規格を満たすことが困難になるという問題点があった。
【００１３】
また、特許文献１，２では、信号の規格を満たすと共に光伝送容量を低減することについては記載されていない。
【００１４】
本発明は上記実情に鑑みて為されたもので、多周波数共用で光伝送する場合に、信号の規格を満たしつつ、光伝送容量を低減できる光伝送装置を提供することを目的とする。
【課題を解決するための手段】
【００１５】
上記従来例の問題点を解決するための本発明は、複数の無線通信ユニットからの信号を合成して光伝送路を用いて伝送する光伝送装置であって、光伝送路に接続し、電気信号を光信号に変換して光伝送路に出力する第１の光トランシーバモジュールと、複数の無線通信ユニットからの信号を信号処理し、第１の光トランシーバモジュールにおける処理能力の範囲内で各無線通信ユニットからの信号に対する圧縮率を変えて割り当てて、当該圧縮率に従って信号の圧縮を行う第１の信号処理部と、第１の信号処理部で圧縮された無線通信ユニット毎の信号を合成し、第１の光トランシーバモジュールに出力する第１の変換部とを有することを特徴とする。
【００１６】
本発明は、上記光伝送装置において、第１の信号処理部が、無線通信ユニット毎に対応するデータの圧縮率を記憶するテーブルを備えてことを特徴とする。
【００１７】
本発明は、上記光伝送装置において、第１の信号処理部が、無線通信ユニットからのデータ入力の状況に応じてテーブルに設定された圧縮率を変更することを特徴とする。
【００１８】
本発明は、上記光伝送装置において、光伝送路から光信号を入力し、電気信号に変換する第２の光トランシーバモジュールと、第２の光トランシーバモジュールからの電気信号を無線通信ユニット毎に分離する第２の変換部と、第２の変換部からの信号を無線通信ユニット毎の圧縮率に対応した解凍率で解凍する第２の信号処理部とを有することを特徴とする。
【００１９】
本発明は、上記光伝送装置において、第２の信号処理部が、複数の無線通信ユニットからの信号を前記無線通信ユニット毎の圧縮率で圧縮し、第２の変換部が、第２の信号処理部で圧縮された無線通信ユニット毎の信号を合成し、第２の光トランシーバモジュールが、第２の変換部からの電気信号を光信号に変換して光伝送路に出力することを特徴とする。
【発明の効果】
【００２０】
本発明によれば、複数の無線通信ユニットからの信号を合成して光伝送路を用いて伝送する光伝送装置であって、第１の光トランシーバモジュールが、光伝送路に接続し、電気信号を光信号に変換して光伝送路に出力し、第１の信号処理部が、複数の無線通信ユニットからの信号を信号処理し、第１の光トランシーバモジュールにおける処理能力の範囲内で各無線通信ユニットからの信号に対する圧縮率を変えて割り当てて、当該圧縮率に従って信号の圧縮を行い、第１の変換部が、第１の信号処理部で圧縮された無線通信ユニット毎の信号を合成し、第１の光トランシーバモジュールに出力するものであり、信号の規格を満たしつつ、光伝送容量を低減できる効果がある。
【図面の簡単な説明】
【００２１】
【図１】第１の光伝送装置のイメージ図である。
【図２】第２の光伝送装置のイメージ図である。
【図３】本光伝送装置の構成ブロック図の一実施例である。
【図４】第３の光伝送装置のイメージ図である。
【図５】従来の光伝送装置のイメージ図である。
【発明を実施するための形態】
【００２２】
本発明の実施の形態について図面を参照しながら説明する。
［実施の形態の概要］
本発明の実施の形態に係る光伝送装置は、複数の無線通信ユニットからの信号を合成して光伝送路を用いて伝送するものであり、親局において、光伝送路に接続し、電気信号を光信号に変換して光伝送路に出力する第１の光トランシーバモジュールと、複数の無線通信ユニットからの信号を信号処理し、第１の光トランシーバモジュールにおける処理能力の範囲内で各無線通信ユニットからの信号に対する圧縮率を変えて割り当てて、当該圧縮率に従って信号の圧縮を行う第１の信号処理部と、第１の信号処理部で圧縮された無線通信ユニット毎の信号を合成し、第１の光トランシーバモジュールに出力する第１の変換部とを備え、子局において、光伝送路からの光信号を受信して電気信号に変換する第２の光トランシーバモジュールと、受信した電気信号を第１の信号処理部の圧縮率に対応する解凍率で解凍して対応する対応する無線通信ユニットに出力する第２の信号処理部とを備えるものであり、信号の規格を満たしつつ、光伝送容量を低減できるものである。
【００２３】
［第１の光伝送装置：図１］
本発明の実施の形態に係る第１の光伝送装置（第１の光伝送装置）について図１を参照しながら説明する。図１は、第１の光伝送装置のイメージ図である。
第１の光伝送装置は、図１に示すように、基本的構成は、図５に示した構成と同様であるが、信号処理部８，１４の処理内容が図５と異なっている。
【００２４】
具体的には、親局１００の信号処理部８は、事業者Ａ〜Ｄのデータを入力し、信号処理を行ってＳＦＰ部１０の伝送処理能力（Ｘ伝送）の範囲内で、事業者数に応じて均一にデータの圧縮（Ｘ／４に圧縮）を行い、ＳＥＲＤＥＳ部９に出力する。
また、信号処理部８は、ＳＥＲＤＥＳ部９からのデータ（Ｘ／４に圧縮されたデータ）を解凍（Ｘデータに拡張）し、信号処理して事業者Ａ〜Ｄのデータとして出力する。
【００２５】
そして、子局２００の信号処理部１４は、ＳＥＲＤＥＳ部１３からのデータ（Ｘ／４に圧縮されたデータ）を解凍（Ｘデータに拡張）し、信号処理して事業者Ａ〜Ｄのデータとして出力する。
また、信号処理部１４は、事業者Ａ〜Ｄのデータを入力し、信号処理を行ってＳＦＰ部１２の伝送処理能力（Ｘ伝送）の範囲内で、事業者数に応じて均一にデータの圧縮（Ｘ／４に圧縮）を行い、ＳＥＲＤＥＳ部１３に出力する。
【００２６】
第１の光伝送装置は、ＳＥＲＤＥＳ部９で、信号処理部８からの圧縮データ（Ｘ／４圧縮データ）を並列から直列に変換して、Ｘデータ（Ｘ／４圧縮データ×４）をＳＦＰ部１０に出力し、ＳＦＰ部１０及び光伝送路１１ではＸ伝送用として利用できる。
また、ＳＥＲＤＥＳ部１３で、信号処理部１４からの圧縮データ（Ｘ／４圧縮データ）を並列から直列に変換して、Ｘデータ（Ｘ／４圧縮データ×４）をＳＦＰ部１２に出力し、ＳＦＰ部１２及び光伝送路１１ではＸ伝送用として利用できる。
【００２７】
このように、第１の光伝送装置では、ＳＦＰ部１０、伝送路１１、ＳＦＰ部１２をＸ伝送用とすることができるので、安価な構成で伝送容量を低減できるものである。
【００２８】
［第２の光伝送装置：図２］
本発明の実施の形態に係る第２の光伝送装置（第２の光伝送装置）について図２を参照しながら説明する。図２は、第２の光伝送装置のイメージ図である。
第２の光伝送装置は、図２に示すように、基本的構成は、図１に示した構成と同様であるが、信号処理部８，１４の処理内容が図１と異なっている。
【００２９】
具体的には、親局１００の信号処理部８は、事業者Ａ〜Ｄのデータを入力し、信号処理を行ってＳＦＰ部１０の伝送処理能力（Ｘ伝送）の範囲内で、事業者毎に応じてデータの圧縮を行い、ＳＥＲＤＥＳ部９に出力する。図２では、事業者Ａ，Ｂのデータは、１／３に圧縮し、事業者Ｃ，Ｄのデータは、１／６に圧縮している。
また、信号処理部８は、ＳＥＲＤＥＳ部９からのデータ（圧縮されたデータ）を事業者毎に定められた解凍率で解凍し、信号処理して事業者Ａ〜Ｄのデータとして出力する。図２では、事業者Ａ，Ｂのデータは、３倍に拡張し、事業者Ｃ，Ｄのデータは、６倍に拡張し、全てＸデータとして出力している。
【００３０】
そして、子局２００の信号処理部１４は、ＳＥＲＤＥＳ部１３からのデータ（圧縮されたデータ）を解凍し、信号処理して事業者Ａ〜Ｄのデータとして出力する。事業者Ａ，Ｂのデータは、３倍に拡張し、事業者Ｃ，Ｄのデータは、６倍に拡張し、全てＸデータとして出力している。
また、信号処理部１４は、事業者Ａ〜Ｄのデータを入力し、信号処理を行ってＳＦＰ部１２の伝送処理能力（Ｘ伝送）の範囲内で、事業者毎に応じてデータの圧縮を行い、ＳＥＲＤＥＳ部１３に出力する。事業者Ａ，Ｂのデータは、１／３に圧縮し、事業者Ｃ，Ｄのデータは、１／６に圧縮している。
【００３１】
第２の光伝送装置は、ＳＥＲＤＥＳ部９で、信号処理部８からの圧縮データ（Ｘ／３，Ｘ／３，Ｘ／６，Ｘ／６の圧縮データ）を並列から直列に変換して、Ｘデータ（Ｘ／３＋Ｘ／３＋Ｘ／６＋Ｘ／６の圧縮データ）をＳＦＰ部１０に出力し、ＳＦＰ部１０及び光伝送路１１ではＸ伝送用として利用できる。
また、ＳＥＲＤＥＳ部１３で、信号処理部１４からの圧縮データ（Ｘ／３，Ｘ／３，Ｘ／６，Ｘ／６の圧縮データ）を並列から直列に変換して、Ｘデータ（Ｘ／３＋Ｘ／３＋Ｘ／６＋Ｘ／６の圧縮データ）をＳＦＰ部１２に出力し、ＳＦＰ部１２及び光伝送路１１ではＸ伝送用として利用できる。
【００３２】
但し、データの圧縮・解凍を行うと、信号の特性が劣化する。具体的には、遅延量が増えてＥＶＭ（エラーベクトル振幅）値が劣化する。以下、遅延量とＥＶＭ値をＲＦ（無線周波数）特性とする。
第１の光伝送装置では、事業者のデータを一律にデータ圧縮・解凍を行うので、ＲＦ特性の信号規格が厳しい事業者の信号について不利となる。
これに対して、第２の光伝送装置では、ＲＦ特性が厳しい事業者のデータに対して、信号処理部８での圧縮率、解凍率を低くするよう重み付けすれば、厳しい信号規格を満たすことができる。
【００３３】
信号処理部８における圧縮率・解凍率の重み付けの設定は、ユーザがＰＣ（Personal Computer）を信号処理部８に接続し、各事業者に対して個別に設定する。
また、予め各事業者に対する重み付けを決定しておき、親局及び子局は、各事業者用のユニット若しくは基板（ボード）が実装されていることを信号処理部８，１４が電源オンで認識した場合に、そのユニット又はボードに設けられた、圧縮・解凍の重み付けを記憶したメモリから、その重み付けの値を読み込み、事業者毎の対応テーブルに設定するようにしてもよい。
【００３４】
このように、第２の光伝送装置では、ＳＦＰ部１０、伝送路１１、ＳＦＰ部１２をＸ伝送用とすることができるので、安価な構成で伝送容量を低減できるものである。
また、第２の光伝送装置は、ＲＦ特性の信号規格が厳しい信号に対してはデータの圧縮率を低くし、信号規格が厳しくない信号に対してはデータの圧縮率を高くできるので、ＲＦ特性の信号規格を満たすと共に伝送容量を低減できる効果がある。
【００３５】
［本光伝送装置の構成ブロック図の一実施例：図３］
次に、本発明の実施の形態に係る光伝送装置（本光伝送装置）について図３を参照しながら説明する。図３は、本光伝送装置の構成ブロック図の一実施例である。
本光伝送装置は、図３に示すように、事業者Ａ〜Ｄの基地局（ＢＴＳ  Ａ〜Ｄ）１−Ａ〜Ｄと、親局１００と、光伝送路１１と、子局２００とを有している。
光伝送路１１は、親局１００と子局２００とのデジタル光信号を伝送する光ファイバ等の通信路である。
【００３６】
［本光伝送装置の各部］
［親局１００］
親局１００は、基地局１−Ａ〜Ｄに接続する下り入力／上り出力部２−Ａ〜Ｄと、共用器（ＤＵＰ：Duplexer）３−Ａ〜Ｄと、ＲＦ／ＩＦ変換部４−Ａ〜Ｄと、Ａ／Ｄ変換部５−Ａ〜Ｄと、ＩＦ／ＲＦ変換部６−Ａ〜Ｄと、Ｄ／Ａ変換部７−Ａ〜Ｄと、信号処理部８と、合成分離回路（ＳＥＲＤＥＳ部）９と、光トランシーバユニット（ＳＦＰ部）１０とを備えている。
【００３７】
下り入力／上り出力部２−Ａ〜Ｄは、基地局１−Ａ〜Ｄと有線で接続する入出力端子部である。
共用器（ＤＵＰ）３−Ａ〜Ｄは、下り入力／上り出力部２−Ａ〜Ｄからの入力信号をＲＦ／ＩＦ変換部４−Ａ〜Ｄに出力し、ＩＦ／ＲＦ変換部６−Ａ〜Ｄからの入力信号を下り入力／上り出力部２−Ａ〜Ｄに出力する。
【００３８】
ＲＦ／ＩＦ変換部４−Ａ〜Ｄは、共用器３−Ａ〜Ｄからの下りＲＦ帯信号をＩＦ帯信号にダウンコンバートしてＡ／Ｄ変換部５−Ａ〜Ｄに出力する。
Ａ／Ｄ変換部５−Ａ〜Ｄは、ＲＦ／ＩＦ変換部４−Ａ〜Ｄからの下りＩＦ帯信号をデジタル信号に変換して信号処理部８に出力する。
【００３９】
ＩＦ／ＲＦ変換部６−Ａ〜Ｄは、Ｄ／Ａ変換部７−Ａ〜Ｄからの上りＩＦ帯信号をＲＦ帯信号にアップコンバートし、共用器３−Ａ〜Ｄに出力する。
Ｄ／Ａ変換部７−Ａ〜Ｄは、信号処理部８からの上りデジタル信号をＩＦ帯信号のアナログ信号に変換してＩＦ／ＲＦ変換部６−Ａ〜Ｄに出力する。
【００４０】
信号処理部８は、デジタル信号を演算処理して、データの圧縮・解凍を行う。
具体的には、信号処理部８は、事業者に対応する圧縮率・解凍率の対応テーブルを記憶部に記憶しており、当該対応テーブルに設定されている事業者毎の圧縮率に従ってＡ／Ｄ変換部５−Ａ〜Ｄからの送信データの圧縮を行い、また、当該対応テーブルに設定されている事業者毎の解凍率に従ってＳＥＲＤＥＳ部９からの受信データの解凍を行う。
【００４１】
ここで、信号処理部８の圧縮率は、ＳＦＰ部１０の伝送処理能力の範囲内で設定されるものである。つまり、各事業者の圧縮率を加算した値（図２の例では、Ｘ／３＋Ｘ／３＋Ｘ／６＋Ｘ／６）が、ＳＦＰ部１０の伝送処理能力（Ｘ伝送）の値以内としている。
【００４２】
更に、信号処理部８は、各事業者データの入力状況を監視し、その入力状況に応じて対応テーブルの圧縮率を変更する。この場合、信号処理部８は、子局２００の信号処理部１４に対して、圧縮率の変更前に圧縮率・解凍率の変更を通知し、信号処理部１４の対応テーブルの圧縮率と解凍率を変更させる。
これにより、信号処理部８は、事業者データの利用状況に応じて圧縮率を変更でき、伝送効率を最適化できる効果がある。
【００４３】
尚、信号処理部８に記憶された対応テーブルの解凍率は、子局２００の信号処理部１４に記憶された対応テーブルの圧縮率に対応したものである。つまり、信号処理部１４で圧縮されたデータを信号処理部８で本来のデータに戻すためのもので、例えば、圧縮率が１／４であれば、解凍率（伸張率）は４倍となる。
【００４４】
合成分離回路（ＳＥＲＤＥＳ部）９は、信号処理部８からの事業者毎の信号を並列に入力し、直列に変換（合成）してＳＦＰ部１０に出力する。
また、ＳＥＲＤＥＳ部９は、ＳＦＰ部１０からの直列信号を事業者毎の信号に並列に変換（分離又は分配）し、信号処理部８に出力する。
【００４５】
光トランシーバユニット（ＳＦＰ部）１０は、ＳＥＲＤＥＳ部９からの信号（電気信号）を光信号に変換し、光分割多重して光伝送路１１に送信する。
また、ＳＦＰ部１０は、光伝送路１１からの光信号を光波長分割多重して電気信号に変換し、ＳＥＲＤＥＳ部９に出力する。
【００４６】
尚、下り入力／上り出力部２−Ａ〜Ｄと、共用器（ＤＵＰ）３−Ａ〜Ｄと、ＲＦ／ＩＦ変換部４−Ａ〜Ｄと、Ａ／Ｄ変換部５−Ａ〜Ｄと、ＩＦ／ＲＦ変換部６−Ａ〜Ｄと、Ｄ／Ａ変換部７−Ａ〜Ｄとで、親局１００の無線通信ユニットを構成している。
【００４７】
［子局２００］
子局２００は、光トランシーバユニット（ＳＦＰ部）１２と、合成分離回路（ＳＥＲＤＥＳ部）１３と、信号処理部１４と、Ｄ／Ａ変換部１５−Ａ〜Ｄと、ＩＦ／ＲＦ変換部１６−Ａ〜Ｄと、Ａ／Ｄ変換部１７−Ａ〜Ｄと、ＲＦ／ＩＦ変換部１８−Ａ〜Ｄと、共用器（ＤＵＰ：Duplexer）１９−Ａ〜Ｄと、下り出力／上り入力部２０−Ａ〜Ｄとを備えている。
【００４８】
光トランシーバユニット（ＳＦＰ部）１２は、光伝送路１１からの光信号を光波長分割多重して電気信号に変換し、ＳＥＲＤＥＳ部１３に出力する。
また、ＳＦＰ部１２は、ＳＥＲＤＥＳ部１３からの電気信号を光信号に変換し、光分割多重して光伝送路１１に送信する。
【００４９】
合成分離回路（ＳＥＲＤＥＳ部）１３は、ＳＦＰ部１２からの直列信号を事業者毎の信号に並列に変換（分離又は分配）し、信号処理部８に出力する。
また、ＳＥＲＤＥＳ部１３は、信号処理部１４からの事業者毎の信号を並列に入力し、直列に変換（合成）してＳＦＰ部１２に出力する。
【００５０】
信号処理部１４は、デジタル信号を演算処理して、データの圧縮・解凍を行う。
具体的には、信号処理部１４は、事業者に対応する圧縮率・解凍率の対応テーブルを記憶部に記憶しており、当該対応テーブルに設定されている事業者毎の解凍率に従ってＳＥＲＤＥＳ部１３からの受信データの解凍を行い、また、当該対応テーブルに設定されている事業者毎の圧縮率に従ってＡ／Ｄ変換部１７−Ａ〜Ｄからの送信データの圧縮を行う。
尚、信号処理部１４に記憶された対応テーブルの解凍率は、親局１００の信号処理部８に記憶された対応テーブルの圧縮率に対応したもので、信号処理部８で圧縮されたデータを信号処理部１４で元に戻すものである。
【００５１】
Ｄ／Ａ変換部１５−Ａ〜Ｄは、信号処理部１４からの下りデジタル信号をＩＦ帯信号のアナログ信号に変換してＩＦ／ＲＦ変換部１６−Ａ〜Ｄに出力する。
ＩＦ／ＲＦ変換部１６−Ａ〜Ｄは、Ｄ／Ａ変換部１５−Ａ〜Ｄからの下りＩＦ帯信号をＲＦ帯信号にアップコンバートし、共用器１９−Ａ〜Ｄに出力する。
【００５２】
Ａ／Ｄ変換部１７−Ａ〜Ｄは、ＲＦ／ＩＦ変換部１８−Ａ〜Ｄからの上りＩＦ帯信号をデジタル信号に変換して信号処理部１４に出力する。
ＲＦ／ＩＦ変換部１８−Ａ〜Ｄは、共用器１９−Ａ〜Ｄからの上りＲＦ帯信号をＩＦ帯信号にダウンコンバートしてＡ／Ｄ変換部１７−Ａ〜Ｄに出力する。
【００５３】
共用器（ＤＵＰ）１９−Ａ〜Ｄは、ＩＦ／ＲＦ変換部１６−Ａ〜Ｄからの入力信号を下り出力／上り入力部２０−Ａ〜Ｄに出力し、下り出力／上り入力部２０−Ａ〜Ｄからの入力信号をＲＦ／ＩＦ変換部１８−Ａ〜Ｄに出力する。
下り出力／上り入力部２０−Ａ〜Ｄは、各アンテナに接続し、事業者に対応する無線通信端末が無線通信できるようになっている。
【００５４】
尚、Ｄ／Ａ変換部１５−Ａ〜Ｄと、ＩＦ／ＲＦ変換部１６−Ａ〜Ｄと、Ａ／Ｄ変換部１７−Ａ〜Ｄと、ＲＦ／ＩＦ変換部１８−Ａ〜Ｄと、共用器（ＤＵＰ）１９−Ａ〜Ｄと、下り出力／上り入力部２０−Ａ〜Ｄとで、子局２００の無線通信ユニットを構成している。
【００５５】
［圧縮方式／解凍方式］
圧縮方式として、例えば、離散コサイン変換した信号の高周波成分をカット（高周波成分を０値に近似）し、ビット丸め処理でデータを圧縮する方式を用いている。
また、解凍方式は、ビット拡張処理し、０値挿入して離散コサイン逆変換してデータを展開する方式を用いている。
ここで、圧縮／解凍の方式の一例を示したが、上記の方式に限定されず、その他の圧縮／解凍の方式であってもよい。
【００５６】
［本光伝送装置の信号処理］
次に、本光伝送装置における信号処理について説明する。
まずは事業者Ａを一例に信号処理の流れを説明すると、基地局１−Ａからの下り信号は、親局１００の下り入力／上り出力部２−Ａから入力し、共用器（ＤＵＰ）３−Ａと、ＲＦ／ＩＦ変換部４−Ａと、Ａ／Ｄ変換部５−Ａを経由して信号処理部８に入力される。
【００５７】
信号処理部８で、演算処理を行い、圧縮率・解凍率の対応テーブルを参照して事業者Ａの圧縮率で事業者Ａのデータを圧縮し、ＳＥＲＤＥＳ部９で並列直列変換を行ってデータを合成し、ＳＦＰ部１０でデジタル光信号に変換し、上り信号と光分割多重してデジタル光信号として光伝送路１１を経由して子局２００に送信する。
【００５８】
子局２００では、ＳＦＰ部１２で、上り信号と光波長分割多重してデジタル電気信号に変換し、ＳＥＲＤＥＳ部１３で直列並列変換を行ってデータを分離し、信号処理部１４で、演算処理を行い、圧縮率・解凍率の対応テーブルを参照して事業者Ａの解凍率で事業者Ａのデータを解凍し、Ｄ／Ａ変換部１５−Ａと、ＩＦ／ＲＦ変換部１６−Ａと、共用器（ＤＵＰ）１９−Ａを経由して、下り出力／上り入力部２０−Ａからアンテナに出力する。
【００５９】
また、上り信号は、アンテナから子局２００の下り出力／上り入力部２０−Ａに入力され、共用器（ＤＵＰ）１９−Ａと、ＲＦ／ＩＦ変換部１８−Ａと、Ａ／Ｄ変換部１７−Ａを経由して、信号処理部１４に入力される。
そして、信号処理部１４で、演算処理を行い、圧縮率・解凍率の対応テーブルを参照して事業者Ａの圧縮率で事業者Ａのデータを圧縮し、ＳＥＲＤＥＳ部１３で並列直列変換を行ってデータを合成し、ＳＦＰ部１２でデジタル光信号に変換し、下り信号と光分割多重してデジタル光信号として光伝送路１１を経由して親局１００に送信する。
【００６０】
親局１００では、ＳＦＰ部１０で下り信号と光波長分割多重して、デジタル電気信号に変換し、ＳＥＲＤＥＳ部９で直列並列変換を行ってデータを分離し、信号処理部８で、演算処理を行い、圧縮率・解凍率の対応テーブルを参照して事業者Ａの解凍率で事業者Ａのデータを解凍し、Ｄ／Ａ変換部７−Ａと、ＩＦ／ＲＦ変換部６−Ａと、共用器（ＤＵＰ）３−Ａを経由して、下り入力／上り出力部２−Ａから基地局１−Ａに出力する。
【００６１】
このように、信号処理部８では、事業者毎に圧縮率・解凍率が対応テーブルに設定され、信号処理部８は、事業者毎に設定された圧縮率でデータを圧縮し、また、信号処理部１４は、対応テーブルを参照して事業者毎の解凍率で解凍しているので、信号規格が厳しい信号については圧縮率を小さくし、信号規格が厳しくなければ圧縮率を大きくして、信号の規格を満たしつつ、光伝送容量を低減できるものである。
【００６２】
［第３の光伝送装置：図４］
次に、本発明の実施の形態に係る第３の光伝送装置（第３の光伝送装置）について図４を参照しながら説明する。図４は、第３の光伝送装置のイメージ図である。
第３の光伝送装置は、図４に示すように、複数の光伝送路１１ａ．１１ｂを用いて親局１００と子局２００とを接続し、各伝送路１１ａ，１１ｂに対応して、親局１００にＳＦＰ部１０ａ，１０ｂと、子局２００にＳＦＰ部１２ａ，１２ｂが設けられている。
ＳＦＰ部１０ａ，１０ｂ，１２ａ，１２ｂは、２Ｘ伝送用の光トランシーバユニットである。
【００６３】
また、信号処理部８，１４では、信号処理は行うものの、圧縮及び解凍は行わない。
ＳＥＲＤＥＳ部９は、信号処理部８からの信号（図４では４つの事業者のデータ／Ｘデータ）の内、２つの事業者のデータを合成（２Ｘデータに合成）してＳＦＰ部１０ａ又は１０ｂに分配する。
また、ＳＥＲＤＥＳ部９は、ＳＦＰ部１０ａ，１０ｂからの２つの事業者の合成データ（２Ｘデータ）を分離し、各事業者のデータ（Ｘデータ）に並列で信号処理部８に出力する。
【００６４】
そして、ＳＥＲＤＥＳ部１３は、ＳＦＰ部１２ａ，１２ｂからの２Ｘデータを分離し、各事業者のデータ（Ｘデータ）に並列で信号処理部１４に出力する。
また、ＳＥＲＤＥＳ部１３は、信号処理部１４からの信号（Ｘデータ）の内、２つの事業者のデータを合成（２Ｘデータに合成）してＳＦＰ部１２ａ又は１２ｂに分配する。
【００６５】
尚、第３の光伝送装置では、ＳＥＲＤＥＳ部９が事業者データを２本ある光伝送路１１ａ，１１ｂの内、いずれか１本の光伝送路を使うようデータの合成を行い、ＳＥＲＤＥＳ部１３も同様のデータの合成を行うようにしている。光伝送路の使用状況によっては、使用していないＳＦＰ部を休止して電力を節約できる。
【００６６】
［実施の形態の効果］
本光伝送装置によれば、ＳＦＰ部１０の伝送処理能力に範囲内で、各事業者データに圧縮率を変えて割り当てるようにしているので、事業者毎にデータの圧縮と解凍できるので、ＲＦ特性の信号の規格を満たしつつ、光伝送容量を低減できる効果がある。
【００６７】
以上では、事業者毎にデータを区別したり圧縮率／拡張率を変えるようにしているが、事業者毎だけでなく、同業者であっても通信方式や使用周波数帯などが異なる場合には、事業者Ａ〜Ｄのデータの取扱と同様に各データを扱うようにしてもよい。
【００６８】
また、合成分離回路（ＳＥＲＤＥＳ部）９，１３では、並列を直列に変換して合成し、直列を並列に変換して分離することを記載したが、データの合成や分離については、他の合成・分離による実現手段を用いてもよい。
【産業上の利用可能性】
【００６９】
本発明は、多周波数共用で光伝送する場合に、信号の規格を満たしつつ、光伝送容量を低減できる光伝送装置に好適である。
【符号の説明】
【００７０】
１−Ａ〜Ｄ...基地局、  ２−Ａ〜Ｄ...下り入力／上り出力部、  ３−Ａ〜Ｄ...共用器（ＤＵＰ：Duplexer）、  ４−Ａ〜Ｄ...ＲＦ／ＩＦ変換部、  ５−Ａ〜Ｄ...Ａ／Ｄ変換部、  ６−Ａ〜Ｄ...ＩＦ／ＲＦ変換部、  ７−Ａ〜Ｄ...Ｄ／Ａ変換部、  ８...信号処理部、  ９...合成分離回路（ＳＥＲＤＥＳ部）、  １０...光トランシーバユニット（ＳＦＰ部）、  １１...光伝送路、  １２...光トランシーバユニット（ＳＦＰ部）、  １３...合成分離回路（ＳＥＲＤＥＳ部）、  １４...信号処理部、  １５−Ａ〜Ｄ...Ｄ／Ａ変換部、  １６−Ａ〜Ｄ...ＩＦ／ＲＦ変換部、  １７−Ａ〜Ｄ...Ａ／Ｄ変換部、  １８−Ａ〜Ｄ...ＲＦ／ＩＦ変換部、  １９−Ａ〜Ｄ...共用器（ＤＵＰ：Duplexer）、  ２０−Ａ〜Ｄ...下り出力／上り入力部
【図１】
2014187450.tif 000003
【図２】
2014187450.tif 000004
【図３】
2014187450.tif 000005
【図４】
2014187450.tif 000006
【図５】
2014187450.tif 000007